(57)【特許請求の範囲】
【請求項１】
ベース板と、
前記ベース板の上に設置されて走向と傾斜角を測定するコンパスと、を含み、
前記コンパスは、
前記ベース板の上で回転可能に設置されて縁に表示された走向目盛を特定位置に移動可能な第１ケースと、
前記第１ケースの内部に設置されるが、前記ベース板に固定されて縁に表示された傾斜目盛を特定位置に予め固定させた第２ケースと、を含み、
前記第２ケースは、
磁力によって回転して前記走向目盛を特定する走向測定針と、
重力によって移動して前記傾斜目盛を特定する傾斜測定具と、を含むことを特徴とするクリノメーター。
【請求項２】
前記傾斜測定具は銅材質で形成されることを特徴とする請求項１に記載のクリノメーター。
【請求項３】
前記第２ケースは前記走向測定針の垂直移動を防止し水平回転を誘導する透明誘導液が詰められていることを特徴とする請求項１に記載のクリノメーター。
【請求項４】
前記傾斜目盛は半円状の縁に表示されるが、
前記ベース板の長軸である両側面に垂直である水平線の両端を０°にし、前記水平線に垂直である垂直線の下端方向に角度を増加させ、前記垂直線の下端を９０°にして表示されることを特徴とする請求項１に記載のクリノメーター。
【請求項５】
前記ベース板の上に設置されて前記ベース板を水平調節する水準器を更に含むことを特徴とする請求項１に記載のクリノメーター。
【請求項６】
前記水準器は気泡の動きで前記ベース板を水平調節するチューブ状気泡管で形成されることを特徴とする請求項５に記載のクリノメーター。
【請求項７】
前記ベース板は両側に互いに異なる単位の目盛がそれぞれ表示されることを特徴とする請求項１に記載のクリノメーター。
【請求項８】
ベース板と、
前記ベース板の上に設置されて走向と傾斜角を測定するコンパスと、
前記ベース板の上に設置されて前記ベース板を水平調節する水準器と、
前記ベース板の先端にヒンジによって連結されて前記コンパス及び水準器をカバーするカバーと、を含み、
前記コンパスは、
前記ベース板の上で回転可能に設置されて縁に表示された走向目盛を特定位置に移動可能な第１ケースと、
前記第１ケースの内部に設置されるが、前記ベース板に固定されて縁に表示された傾斜目盛を特定位置に予め固定させ、重力によって移動する傾斜測定具によって前記傾斜目盛を特定する第２ケースと、を含むことを特徴とするクリノメーター。
【請求項９】
前記カバーは前記コンパスから測定された走向と傾斜角を確認する反射鏡を具備することを特徴とする請求項８に記載のクリノメーター。
【請求項１０】
水準器を利用してベース板を水平に維持しながらベース板の長軸である一側面を地層面に接触させる水平接触ステップと、
前記ベース板の上で第１ケースを回転させて縁に表示された走向目盛を特定位置に移動させてから磁力によって回転する走向特定針が特定する走向目盛を読み取って前記地層面の走向を測定する走向測定ステップと、
前記走向に垂直に前記ベース板の長軸である一側面を前記地層面に接触させる垂直接触ステップと、
傾斜目盛が予め固定された第２ケース内で重力によって移動する傾斜測定具が特定する傾斜目盛をそのまま読み取って前記地層面の傾斜角を測定する傾斜角測定ステップと、を含むことを特徴とする走向及び傾斜角測定方法。
【請求項１１】
水準器を利用してベース板を水平に維持しながらベース板の長軸である一側面を地層面に接触させる水平接触ステップと、
前記ベース板の上で第１ケースを回転させて縁に表示された走向目盛を特定位置に移動させてから磁力によって回転する走向特定針が特定する走向目盛を読み取って前記地層面の走向を測定する走向測定ステップと、
前記走向測定ステップで走向が見えなければカバーを回転させて反射鏡で前記走向を確認する走向確認ステップと、
前記走向に垂直に前記ベース板の長軸である一側面を前記地層面に接触させる垂直接触ステップと、
傾斜目盛が予め固定された第２ケース内で重力によって移動する傾斜測定具が特定する傾斜目盛をそのまま読み取って前記地層面の傾斜角を測定する傾斜角測定ステップと、
前記傾斜角測定ステップで傾斜角が見えなければ前記カバーを回転させて反射鏡で前記傾斜角を確認する傾斜角確認ステップと、を含むことを特徴とする走向及び傾斜角測定方法。
【発明の詳細な説明】
【技術分野】
【０００１】
本発明はクリノメーター、それを利用した走向及び傾斜角測定方法に関するものであり、地層の走向及び傾斜角を容易に測定することができるクリノメーター、それを利用した走向及び傾斜角測定方法に関するものである。
【背景技術】
【０００２】
クリノメーターは屋外及び現場における地質調査及び関連業界において、多様な露頭に発達した地質構造（層理、葉層、褶曲、節理及び断層など）の測定に不可欠な携帯用装備に属する。
【０００３】
図１は、従来のクリノメーターの構成図である。
【０００４】
例えば、特許文献１はクリノメーターの補助測定器具を紹介しているが、前記出願は図１に示したようにクリノメーターａの本体１の下部に結合される棒２と、棒の下端で軸４によって結合された状態でクリノメーターの測定基準面である側面１ａ及び底面１ｂと一致する測定基準面を有する接地具３と、接地具３の回転部に形成された傾斜角測定目盛５で構成され、測定部位が狭小で凹んだ小型の層面と線構造の測定を可能にする。
【０００５】
図２は、従来のクリノメーターの斜視図である。
【０００６】
また、特許文献２はレーザポインタが装着されたクリノメーターを紹介しているが、前記出願は図２に示したようにクリノメーターにレーザビームが出力されるレーザポインタ１４が付着され、前記クリノメーターにレーザポインタを制御するスイッチ１５が付着され、前記クリノメーターの一側部にかかり具１６が付着されて水平工事、垂直工事及び傾斜面工事を容易にする。
【０００７】
しかし、従来のクリノメーターには走向目盛と傾斜目盛が一体に回転するため走向測定の後に別途にコンパスを回転させて傾斜角測定のための設定を更に行ってから傾斜角を測定する不便さがあり、また前記クリノメーターの内部に具備された傾斜角測定針は回転の際に走向測定針又は回転軸との摩擦によって誤作動することで測定傾斜角が不正確な問題点がある。
【先行技術文献】
【特許文献】
【０００８】
【特許文献１】出願番号第２０−１９９８−００１０７３８号
【特許文献２】出願番号第２０−２００１−００１６５４６号
【発明の概要】
【発明が解決しようとする課題】
【０００９】
本発明は上述したような問題を解決するために発明されたものであり、クリノメーターに傾斜目盛を予め固定して傾斜角測定の際に傾斜測定具が特定する傾斜目盛をそのまま読み取ることで地層の傾斜角を容易に測定するクリノメーター、それを利用した走向及び傾斜角測定方法を提供するのにその目的がある。
【課題を解決するための手段】
【００１０】
上述した目的を達成するために、本発明によるクリノメーターは、ベース板と、前記ベース板の上に設置されて走向と傾斜角を測定するコンパスと、を含み、前記コンパスは、前記ベース板の上で回転可能に設置されて縁に表示された走向目盛を特定位置に移動可能な第１ケースと、前記第１ケースの内部に設置されるが、前記ベース板に固定されて縁に表示された傾斜目盛を特定位置に予め固定させた第２ケースと、を含むことを特徴とする。
【００１１】
また、前記第２ケースは、磁力によって回転して前記走向目盛を特定する走向測定針と、重力によって移動して前記傾斜目盛を特定する傾斜測定具と、を含むことを特徴とする。
【００１２】
また、前記傾斜測定具は銅材質で形成されることを特徴とする。
【００１３】
また、前記第２ケースは前記走向測定針の垂直移動を防止し水平回転を誘導する透明誘導液が詰められていることを特徴とする。
【００１４】
また、前記傾斜目盛は半円状の縁に表示されるが、前記ベース板の長軸である両側面に垂直である水平線の両端を０°にし、前記水平線に垂直である垂直線の下端方向に角度を増加させ、前記垂直線の下端を９０°にして表示されることを特徴とする。
【００１５】
また、前記ベース板の上に設置されて前記ベース板を水平調節する水準器を更に含むことを特徴とする。
【００１６】
また、前記水準器は気泡の動きで前記ベース板を水平調節するチューブ状気泡管で形成されることを特徴とする。
【００１７】
また、前記ベース板は両側に互いに異なる単位の目盛がそれぞれ表示されることを特徴とする。
【００１８】
また、本発明によるクリノメーターは、ベース板と、前記ベース板の上に設置されて走向と傾斜角を測定するコンパスと、前記ベース板の上に設置されて前記ベース板を水平調節する水準器と、前記ベース板の先端にヒンジによって連結されて前記コンパス及び水準器をカバーするカバーと、を含み、前記コンパスは、前記ベース板の上で回転可能に設置されて縁に表示された走向目盛を特定位置に移動可能な第１ケースと、前記第１ケースの内部に設置されるが、前記ベース板に固定されて縁に表示された傾斜目盛を特定位置に予め固定させ、重力によって移動する傾斜測定具によって前記傾斜目盛を特定する第２ケースと、を含むことを特徴とする。
【００１９】
また、前記カバーは前記コンパスから測定された走向と傾斜角を確認する反射鏡を具備することを特徴とする。
【００２０】
また、本発明による走向及び傾斜角測定方法は、水準器を利用してベース板を水平に維持しながらベース板の長軸である一側面を地層面に接触させる水平接触ステップと、前記ベース板の上で第１ケースを回転させて縁に表示された走向目盛を特定位置に移動させてから磁力によって回転する走向特定針が特定する走向目盛を読み取って前記地層面の走向を測定する走向測定ステップと、前記走向に垂直に前記ベース板の長軸である一側面を前記地層面に接触させる垂直接触ステップと、傾斜目盛が予め固定された第２ケース内で重力によって移動する傾斜測定具が特定する傾斜目盛をそのまま読み取って前記地層面の傾斜角を測定する傾斜角測定ステップと、を含むことを特徴とする。
【００２１】
また、本発明による走向及び傾斜角測定方法は、水準器を利用してベース板を水平に維持しながらベース板の長軸である一側面を地層面に接触させる水平接触ステップと、前記ベース板の上で第１ケースを回転させて縁に表示された走向目盛を特定位置に移動させてから磁力によって回転する走向特定針が特定する走向目盛を読み取って前記地層面の走向を測定する走向測定ステップと、前記走向測定ステップで走向が見えなければカバーを回転させて反射鏡で前記走向を確認する走向確認ステップと、前記走向に垂直に前記ベース板の長軸である一側面を前記地層面に接触させる垂直接触ステップと、傾斜目盛が予め固定された第２ケース内で重力によって移動する傾斜測定具が特定する傾斜目盛をそのまま読み取って前記地層面の傾斜角を測定する傾斜角測定ステップと、前記傾斜角測定ステップで傾斜角が見えなければ前記カバーを回転させて反射鏡で前記傾斜角を確認する傾斜角確認ステップと、を含むことを特徴とする。
【発明の効果】
【００２２】
上述したように本発明によるクリノメーター、それを利用した走向及び傾斜角測定方法によると、クリノメーターに傾斜目盛を予め固定して傾斜角測定の際に傾斜測定具が特定する傾斜目盛をそのまま読み取ることで地層の傾斜角を容易に測定可能な効果がある。
【００２３】
また、本発明によると、傾斜角を測定するために重力によって移動する傾斜測定具を具備して従来の傾斜角測定針が摩擦によって誤作動する問題点を改善可能な効果がある。
【図面の簡単な説明】
【００２４】
【図１】従来のクリノメーターの構成図である。
【図２】従来のクリノメーターの斜視図である。
【図３】本発明の第１実施例によるクリノメーターの構成図である。
【図４】本発明による傾斜目盛を示す図である。
【図５】本発明の第１実施例によるクリノメーターを利用して走向を測定する様子を示す図である。
【図６】本発明の第１実施例によるクリノメーターを利用して傾斜角を測定する様子を示す図である。
【図７】本発明の第２実施例によるクリノメーターの構成図である。
【図８】本発明の第１実施例による走向及び傾斜角測定方法のブロック図である。
【図９】本発明の第２実施例による走向及び傾斜角測定方法のブロック図である。
【発明を実施するための形態】
【００２５】
以下、添付した図面を参照して本発明の実施例を詳細に説明する。まず、図面のうち同じ構成要素又は部品はなるべく同じ参照符号で示していることに留意すべきである。本発明を説明するに当たって、関連する公知機能或いは構成に対する具体的な説明は本発明の要旨を不明確にしないために省略する。
【００２６】
図３は、本発明の第１実施例によるクリノメーターの構成図である。
【００２７】
本発明の第１実施例によるクリノメーターは、図３に示したようにベース板１００、前記ベース板１００の上に設置されるコンパス２００及び前記ベース板１００の上に設置されて前記ベース板１００を水平調節する水準器３００を含む。
【００２８】
前記ベース板１００は透明材質で形成され、両側に互いに異なる単位のルーラーがそれぞれ表示される。
【００２９】
詳しくは、前記ベース板１００は一側にｍｍ単位のルーラー４００が表示され、他側にインチ単位のルーラー５００が表示されて地層に存在する複数個の節理面の大きさ及び幅を互いに異なる単位で測定する。
【００３０】
また、前記ベース板１００は凸面鏡１１０を含むが、前記凸面鏡１１０を利用して地層に含まれた多様な堆積構造を観察することができる。
【００３１】
並びに、前記ベース板１００は底面に摩擦部材１２０を具備するが、例えば、前記凸面鏡１１０を利用して堆積構造を観察する場合、前記摩擦部材１２０を介して前記ベース板１００と地層面の滑りを防止することで地層の観察を容易にする。
【００３２】
前記コンパス２００は地層の走向と傾斜角を測定するが、ここで、前記コンパス２００は第１ケース２１０及び前記第１ケース２１０の内部に設置される第２ケース２２０を含む。
【００３３】
前記第１ケース２１０は前記ベース板１００の上で回転可能に設置され、縁に表示された走向目盛２１１を特定位置に移動して地層の走向を測定する。
【００３４】
図５は、本発明の第１実施例によるクリノメーターを利用して走向を測定する様子を示す図である。
【００３５】
詳しくは、前記第１ケース２１０は走向目盛２１１が表示された回転ダイヤルで形成されるが、地層の走向を測定するために、まず前記ベース板１００を水平に維持しながらベース板１００の長軸である一側面を地層面に接触させ、後に図５に示したように前記第１ケース２１０を回転させて縁に表示された走向目盛２１１を特定位置に移動させた後、磁力によって回転する走向測定針２２２が特定する走向目盛を読み取って前記地層の走向を測定する。
【００３６】
前記第２ケース２２０は前記ベース板１００の上に固定され縁にて表示された傾斜目盛２２１を特定位置に予め固定して地層の傾斜角を測定する。
【００３７】
詳しくは、前記第２ケース２２０は前記第１ケース２１０とは異なって前記ベース板１００の上で回転可能に設置されるのではなく、前記ベース板１００の上にその位置が固定されて内部に表示された傾斜目盛２２１を移動させない構造で設置されるが、前記第１ケース２１０と第２ケース２２０との間には図示されていないが前記第１ケース２１０を前記第２ケース２２０とは別途に相対的に回転させる連結部材（図示せず）が具備される。
【００３８】
図４は、本発明による傾斜目盛を示す図である。
【００３９】
ここで、前記傾斜目盛２２１は図４に示したように半円状の縁に表示されるが、前記ベース板１００の長軸である両側面に垂直である水平線の両端を０°にし、前記水平線に垂直である垂直線の下端方向に角度を増加させ、前記垂直線の下端を９０°にして表示される。
【００４０】
一方、前記第２ケース２２０は、磁力によって回転して前記走向目盛２１１を特定する走向測定針２２２と、重力によって移動して前記傾斜目盛２２１を特定する傾斜測定具２２３と、を含む。
【００４１】
前記走向測定針２２２は前記第２ケース２２０内で上下離隔空間を有するため回転の際に前記離隔空間に垂直移動することで持続的に垂直振動が発生する恐れがあり、前記第２ケース２２０には前記走向測定針２２２の垂直移動を防止しながら水平回転を誘導するための透明誘導液が詰められる。
【００４２】
前記傾斜測定具２２３は磁力に影響を受けない銅材質で形成されるが、従来のコンパスに具備された傾斜角測定針は回転の際に前記走向測定針又は回転軸との摩擦によって誤作動することで測定傾斜角が不正確になり得る問題点があるが、本発明によると重力によって移動する傾斜測定具２２２を具備することで測定傾斜角の正確性を向上させることができる。
【００４３】
図６は、本発明の第１実施例によるクリノメーターを利用して傾斜角を測定する様子を示す図である。
【００４４】
詳しくは、本発明の第１実施例によるクリノメーターを利用して地層の傾斜角を測定するためには、図６に示したように走向に垂直に前記ベース板１００の長軸である一側面を地層面に接触させ、後に前記第２ケース２２０内で重力によって移動する傾斜測定具２２３が特定する傾斜目盛をそのまま読み取って前記地層面の傾斜角を測定する。
【００４５】
即ち、従来のコンパスは走向目盛と傾斜目盛が一体に回転するため走向測定の後に別途にコンパスを回転させて傾斜角を測定するための設定を更に行わざるを得ないが、本発明によると傾斜目盛２２１が前記第２ケース２２０内で予め固定されているため、走向測定の後に傾斜角を測定する際に別途の設定なしに傾斜測定具２２３が特定する傾斜目盛２２１をそのまま読み取ればよいため地層の傾斜角を容易に測定することができる。
【００４６】
前記水準器３００は気泡の動きで前記ベース板１００を水平調節するチューブ状気泡管で形成される。
【００４７】
ここで、前記チューブ状気泡管はガラス管又は空気状のガラス容器内にアルコールなどの液体と気泡３１０を密封して前記ベース板１００に固定させたものであり、前記気泡３１０が管の中央に集まるようにすることで前記ベース板１００を水平調節する。
[発明を実施するための形態]
【００４８】
以下、添付した図面を参照して本発明の実施例を詳細に説明する。まず、図面のうち同じ構成要素又は部品はなるべく同じ参照符号で示していることに留意すべきである。本発明を説明するに当たって、関連する公知機能又は構成に対する具体的な説明は本発明の要旨を不明確にしないために省略する。
【００４９】
図３は、本発明の第１実施例によるクリノメーターの構成図である。
【００５０】
本発明の第１実施例によるクリノメーターは、図３に示したようにベース板１００、前記ベース板１００の上に設置されるコンパス２００及び前記ベース板１００の上に設置されて前記ベース板１００を水平調節する水準器３００を含む。
【００５１】
前記ベース板１００は透明材質で形成され、両側に互いに異なる単位のルーラーがそれぞれ表示される。
【００５２】
詳しくは、前記ベース板１００は一側にｍｍ単位のルーラー４００が表示され、他側にインチ単位のルーラー５００が表示されて地層に存在する複数個の節理面の大きさ及び幅を互いに異なる単位で測定する。
【００５３】
また、前記ベース板１００は凸面鏡１１０を含むが、前記凸面鏡１１０を利用して地層に含まれた多様な堆積構造を観察する。
【００５４】
並びに、前記ベース板１００は底面に摩擦部材１２０を具備するが、例えば、前記凸面鏡１１０を利用して堆積構造を観察する場合、前記摩擦部材１２０を介して前記ベース板１００と地層面の滑りを防止することで地層の観察を容易にする。
【００５５】
前記コンパス２００は地層の走向と傾斜角を測定するが、ここで、前記コンパス２００は第１ケース２１０及び前記第１ケース２１０の内部に設置される第２ケース２２０を含む。
【００５６】
前記第１ケース２１０は前記ベース板１００の上で回転可能に設置され、縁に表示された走向目盛２１１を特定位置に移動して地層の走向を測定する。
【００５７】
図５は、本発明の第１実施例によるクリノメーターを利用して走向を測定する様子を示す図である。
【００５８】
詳しくは、前記第１ケース２１０は走向目盛２１１が表示された回転ダイヤルで形成されるが、地層の走向を測定するために、まず前記ベース板１００を水平に維持しながらベース板１００の長軸である一側面を地層面に接触させ、後に図５に示したように前記第１ケース２１０を回転させて縁に表示された走向目盛２１１を特定位置に移動させた後、磁力によって回転する走向測定針２２２が特定する走向目盛を読み取って前記地層の走向を測定する。
【００５９】
前記第２ケース２２０は前記ベース板１００の上に固定されて縁に表示された傾斜目盛２２１を特定位置に予め固定して地層の傾斜角を測定する。
【００６０】
詳しくは、前記第２ケース２２０は前記第１ケース２１０とは異なって前記ベース板１００の上で回転可能に設置されるのではなく、前記ベース板１００の上にその位置が固定されて内部に表示された傾斜目盛２２１を移動させない構造で設置されるが、前記第１ケース２１０と第２ケース２２０との間には図示されていないが前記第１ケース２１０を前記第２ケース２２０とは別途に相対的に回転させる連結部材（図示せず）が具備される。
【００６１】
図４は、本発明による傾斜目盛を示す図である。
【００６２】
ここで、前記傾斜目盛２２１は図４に示したように半円状の縁に表示されるが、前記ベース板１００の長軸である両側面に垂直である水平線の両端を０°にし、前記水平線に垂直である垂直線の下端方向に角度を増加させ、前記垂直線の下端を９０°にして表示される。
【００６３】
一方、前記第２ケース２２０は、磁力によって回転して前記走向目盛２１１を特定する走向測定針２２２と、重力によって移動して前記傾斜目盛２２１を特定する傾斜測定具２２３と、を含む。
【００６４】
前記走向測定針２２２は前記第２ケース２２０内で上下離隔空間を有するため回転の際に前記離隔空間に垂直移動することで持続的に垂直振動が発生する恐れがあり、前記第２ケース２２０には前記走向測定針２２２の垂直移動を防止しながら水平回転を誘導するための透明誘導液が詰められる。
【００６５】
前記傾斜測定具２２３は磁力に影響を受けない銅材質で形成されるが、従来のコンパスに具備された傾斜角測定針は回転の際に前記走向測定針又は回転軸との摩擦によって誤作動することで測定傾斜角が不正確になり得る問題点があるが、本発明によると重力によって移動する傾斜測定具２２２を具備することで測定傾斜角の正確性を向上させることができる。
【００６６】
図６は、本発明の第１実施例によるクリノメーターを利用して傾斜角を測定する様子を示す図である。
【００６７】
詳しくは、本発明の第１実施例によるクリノメーターを利用して地層の傾斜角を測定するためには、図６に示したように走行に垂直に前記ベース板１００の長軸である一側面を地層面に接触させ、後に前記第２ケース２２０内で重力によって移動する傾斜測定具２２３が特定する傾斜目盛をそのまま読み取って前記地層面の傾斜角を測定する。
【００６８】
即ち、従来のコンパスは走向目盛と傾斜目盛が一体に回転するため走向測定の後で別途にコンパスを回転させて傾斜角を測定するための設定を更に行わざるを得ないが、本発明によると傾斜目盛２２１が前記第２ケース２２０内で予め固定されているため、走向測定の後に傾斜角を測定する際に別途の設定なしに傾斜測定具２２３が特定する傾斜目盛２２１をそのまま読み取ればよいため地層の傾斜角を容易に測定することができる。
【００６９】
前記水準器３００は気泡の動きで前記ベース板１００を水平調節するチューブ状気泡管で形成される。
【００７０】
ここで、前記チューブ状気泡管はガラス管又は空気状のガラス容器内にアルコールなどの液体と気泡３１０を密封して前記ベース板１００に固定させたものであり、前記気泡３１０が管の中央に集まるようにすることで前記ベース板１００を水平調節する。
【００７１】
以下、本発明の第２実施例によるクリノメーターを詳細に説明する。
【００７２】
図７は、本発明の第２実施例によるクリノメーターの構成図である。
【００７３】
本発明の第２実施例によるクリノメーターは、図７に示したようにベース板１００、前記ベース板１００の上に設置されて走向と傾斜角を測定するコンパス２００、前記ベース板１００の上に設置されて前記ベース板１００を水平調節する水準器３００及び前記ベース板１００の先端にヒンジ７００によって連結されて前記コンパス２００及び水準器３００をカバーするカバー６００を含む。
【００７４】
前記ベース板１００、コンパス２００及び水準器３００は本発明の第１実施例によるクリノメーターに含まれたベース板、コンパス及び水準器とその構成及び内容が同じであるため詳細な説明は省略する。
【００７５】
前記カバー６００は前記コンパス２００から測定された走向と傾斜角を確認する反射鏡６１０を具備するが、詳しくは、地層の走向と傾斜角を測定する際に前記コンパス２００から直接走向と傾斜角を確認することができなければ前記カバー６００を回転させて前記反射鏡６１０を介して前記走向と傾斜角を確認することができる。
【００７６】
以下、本発明の第１実施例による走向及び傾斜角測定方法を詳細に説明する。
【００７７】
図８は、本発明の第１実施例による走向及び傾斜角測定方法のブロック図である。
【００７８】
本発明の第１実施例による走向及び傾斜角測定方法は、図８に示したように水平接触ステップＳ１０、走向測定ステップＳ２０、垂直接触ステップＳ３０及び傾斜角測定ステップＳ４０を含む。
【００７９】
前記水平接触ステップＳ１０は、図３に示したように水準器３００を利用してベース板１００を水平に維持しながらベース板１００の長軸である一側面を地層面に接触させるステップである。
【００８０】
前記走向測定ステップＳ２０は、前記ベース板１００の上でコンパス２００の第１ケース２１０を回転させて縁に表示された走向目盛２１１を特定位置に移動させた後、磁力によって回転する走向測定針２２２が特定する走向目盛を読み取って前記地層面の走向を測定するステップである。
【００８１】
前記垂直接触ステップＳ３０は、図６に示したように前記走向に垂直に前記ベース板１００の長軸である一側面を地層面に接触させるステップである。
【００８２】
前記傾斜角測定ステップＳ４０は、傾斜目盛２２１が予め固定された第２ケース２２０内で重力によって移動する傾斜測定具２２３が特定する傾斜目盛をそのまま読み取って前記地層面の傾斜角を測定するステップである。
【００８３】
以下、本発明の第２実施例による走向及び傾斜角測定方法を詳細に説明する。
【００８４】
図９は、本発明の第２実施例による走向及び傾斜角測定方法のブロック図である。
【００８５】
本発明の第２実施例による走向及び傾斜角測定方法は、図９に示したように水平接触ステップＳ１０、走向測定ステップＳ２０、走向確認ステップＳ２５、垂直接触ステップＳ３０、傾斜角測定ステップＳ４０及び傾斜角確認ステップＳ５０を含む。
【００８６】
前記水平接触ステップＳ１０は、図７に示したように水準器３００を利用してベース板１００を水平に維持しながらベース板１００の長軸である一側面を地層面に接触させるステップである。
【００８７】
前記走向測定ステップＳ２０は、前記ベース板１００の上でコンパス２００の第１ケース２１０を回転させて縁に表示された走向目盛２１１を特定位置に移動させた後、磁力によって回転する走向測定針２２２が特定する走向目盛を読み取って前記地層面の走向を測定するステップである。
【００８８】
前記走向確認ステップＳ２５は、前記走向測定ステップＳ２０で走向が見えなければカバー６００を回転させて反射鏡６１０で前記走向を確認するステップである。
【００８９】
前記垂直接触ステップＳ３０は、前記走向に垂直に前記ベース板１００の長軸である一側面を地層面に接触させるステップである。
【００９０】
前記傾斜角測定ステップＳ４０は、傾斜目盛２２１が予め固定された第２ケース２２０内で重力によって移動する傾斜測定具２２３が特定する傾斜目盛をそのまま読み取って前記地層面の傾斜角を測定するステップである。
【００９１】
前記傾斜角確認ステップＳ５０は、前記傾斜角測定ステップＳ４０で傾斜角が見えなければカバー６００を回転させて前記反射鏡６１０で前記傾斜角を確認するステップである。
【００９２】
上述したように本発明によるクリノメーター、それを利用した走向及び傾斜角測定方法を例示した図面を参照して説明したが、本明細書に開示された実施例と図面によって本発明が限定されることはなく、本発明の技術思想の範囲内で当業者によって多様な変形が行われ得ることはもちろんである。
【産業上の利用可能性】
【００９３】
本発明によると、クリノメーターに傾斜目盛を予め固定させて傾斜角を測定する際に傾斜測定具が特定する傾斜目盛をそのまま読み取ることで地層の傾斜角を容易に測定することができ、傾斜角を測定するために重力によって移動する傾斜測定具を具備して従来の傾斜角測定針が摩擦によって誤作動する問題点を改善することができるため、地質調査及び関連業界でより効果的に利用可能である。
【符号の説明】
【００９４】
１：クリノメーター
１００：ベース板                 １１０：凸面鏡
１２０：摩擦部材                 ２００：コンパス
２１０：第１ケース               ２１１：走向目盛
２２０：第２ケース               ２２１：傾斜目盛
２２２：走向測定針               ２２３：傾斜測定具
３００：水準器                   ３１０：気泡
４００，５００：ルーラー         ６００：カバー
６１０：反射鏡                   ７００：ヒンジ
Ｓ１０：水平接触ステップ
Ｓ２０：走向測定ステップ
Ｓ２５：走向確認ステップ
Ｓ３０：垂直接触ステップ
Ｓ４０：傾斜角測定ステップ
Ｓ５０：傾斜角確認ステップ
【図１】
0005964505.tif 000002
【図２】
0005964505.tif 000003
【図３】
0005964505.tif 000004
【図４】
0005964505.tif 000005
【図５】
0005964505.tif 000006
【図６】
0005964505.tif 000007
【図７】
0005964505.tif 000008
【図８】
0005964505.tif 000009
【図９】
0005964505.tif 000010